(57)【特許請求の範囲】
【請求項１】
ベースと前記ベースを加熱する加熱手段を有するアイロン本体と、通気性を有するアイロン台と、アイロン掛けの蒸気を発生する蒸気発生装置と、前記蒸気発生装置に接続した蒸気導入管と、前記蒸気発生装置で発生した蒸気を前記蒸気導入管を介して前記アイロン台の表面に噴出する多数個のノズルとを備え、前記ノズルは、前記アイロン本体による押圧力に応じて伸縮する伸縮ノズルとし、通常はバネにより閉塞状態となるように付勢されるとともに、前記アイロン台の上部から前記アイロン本体によって加圧したときに下降して前記蒸気導入管に蓄えた蒸気が噴出する構成としたアイロン掛け装置。
【発明の詳細な説明】
【０００１】
【産業上の利用分野】
本発明は、衣類についたしわを熱と蒸気で除去するアイロン掛け装置に関するものである。
【０００２】
【従来の技術】
以下、従来使用されているアイロンについて説明する。図１５において、コードレスのアイロン本体５１は、蒸気を噴霧する噴霧穴５２を有している平面状のベース５３を備えている。噴霧穴５２からの蒸気は、ヒータ５４によって加熱されているベース５３に、水タンク５５の水を滴下装置５６を介して滴下することにより発生するものである。発生した蒸気は、その圧力で噴霧穴５２からアイロン本体５１外部へ噴出するものである。なお、アイロン本体５１に通電するためのスタンドについては説明を省略する。
【０００３】
また、図１６はアイロン台５７を示している。アイロン台５７は、通気性の良好な素材を使用しており、前記アイロン本体５１から噴出した蒸気が矢印のようにアイロン掛け衣類を介して速やかに通過するものである。
【０００４】
以上の構成で、アイロン本体５１はコードレスアイロンとして作用するものである。つまり図示していないスタンドからの電源の供給を受けて適温となった時点で、アイロン本体５１をスタンドから取り外してコードレスの状態で使用するものである。このとき、アイロン台５７上のアイロン掛け衣類に対して必要に応じて蒸気を噴霧し、アイロン本体５１を操作してしわを伸ばすものである。
【０００５】
なお、アイロン台５７に通気性の良好な素材を使用するのは、噴霧穴５２から噴霧した蒸気が凝固して水滴となり、衣類を湿らせてしまうのを防止するためである。
【０００６】
【発明が解決しようとする課題】
前記従来の構成のコードレスアイロンは、使用時には電源コードが付いていない状態であり、使い勝手の良いアイロンとなっているものである。しかし、水タンク５５に水を溜めて操作する場合には、かなり重量が増して操作性に課題がある。また、ベース５３が十分加熱されていない状態でスチームを使用した場合には、噴霧穴５２から水が漏れ出してアイロン掛け衣類を湿らせてしまうことになるものである。また、アイロン本体５１を移動させて使用する関係で発生した蒸気が均一に衣類には噴霧されないものとなっている。
【０００７】
本発明は前記従来の構成が有している課題を解決しようとするもので、アイロン本体の軽量化を可能とし、余分な蒸気の発生を抑えたアイロン掛け装置を提供することを目的としている。
【０００８】
【課題を解決するための手段】
上記の目的を達成するために本発明は、ベースと前記ベースを加熱する加熱手段を有するアイロン本体と、通気性を有するアイロン台と、アイロン掛けの蒸気を発生する蒸気発生装置と、前記蒸気発生装置に接続した蒸気導入管と、前記蒸気発生装置で発生した蒸気を前記蒸気導入管を介して前記アイロン台の表面に噴出する多数個のノズルとを備え、前記ノズルは、前記アイロン本体による押圧力に応じて伸縮する伸縮ノズルとし、通常はバネにより閉塞状態となるように付勢されるとともに、前記アイロン台の上部から前記アイロン本体によって加圧したときに下降して前記蒸気導入管に蓄えた蒸気が噴出する構成としたものである。
【０００９】
【作用】
本発明は、アイロン台側に設けている蒸気発生装置で得た蒸気を蒸気導入管を介してノズルから噴出し、通気性のよいアイロン台を介してアイロン掛け衣類に噴出して、アイロン掛け衣類の上部からアイロン本体を押し当てる操作によってアイロン掛けができるもので、軽量化したアイロン本体の実現を可能としているものである。そして、蒸気発生装置で得た蒸気を一旦蒸気導入管に蓄えて、アイロン台の上部からアイロン本体によって加圧したときに、伸縮ノズルが作用して、蒸気導入管の蒸気が噴出するように作用するものである。
【００１０】
【実施例】
以下、本発明のアイロン掛け装置の参考実施例を説明する。図１において、アイロン本体１は、加熱手段２であるヒータと、アイロン掛け面を平面状としたベース４を有している。加熱手段２はベース４に埋設されており、アイロン本体１をスタンドに載置したときに電源端子３を介して商用電源が供給され、ベース４を加熱する。つまり、本参考実施例はアイロン本体１をコードレスで使用するコードレスアイロンとしたものである。ただし、電源端子３に直接商用交流電源を接続する通常のアイロンとしても構わないものである。このアイロン本体１は、図からもあきらかなように、水タンクや蒸気噴霧穴等の蒸気発生手段は一切装備していないものである。
【００１１】
また、図２はアイロン台ユニットを示しているもので、通気性の良好なアイロン台５と、アイロン台５の下部に設けている蒸気を発生する蒸気発生装置６と、アイロン台５の下面に接続した多数のノズル７と、蒸気発生装置６で発生した蒸気を各ノズル７に導く蒸気導入管９とで構成している。つまりアイロン台５は、例えばラス網とスポンジの表面を木綿の布等で覆った構成として、通気性をよくしているものである。このアイロン台５の底面には、前記ノズル７を備えた蒸気導入管９を配置しているものである。また蒸気導入管９は蒸気発生装置６と接続して、内部に蒸気が連通するように構成している。蒸気発生装置６は、図示していない水を加熱する加熱手段を備えており、図示していないスイッチをオンすると蒸気を発生するものである。
【００１２】
以下、その動作について説明する。蒸気発生装置６が発生した蒸気は、蒸気導入管９内を拡散し、蒸気導入管９が有している多数のノズル７を介してアイロン台５に到達する。アイロン台５は通気性が良好なため、蒸気はそのままアイロン台５上部へ噴出するものである。この状態で使用者がアイロン台５にアイロン掛け衣類を敷いて、その上からアイロン本体１の加熱されたベース４を押し当てると、衣類はアイロン掛けされるものである。つまり、アイロン台５から噴出する蒸気によって衣類には適度な湿気が与えられ、同時にアイロン本体１の荷重とベース４の熱が与えられて、衣類についたしわは除去されるものである。
【００１３】
以上のように本参考実施例は、アイロン台５側に設けている蒸気発生装置６で得た蒸気を蒸気導入管９を介してノズル７から噴出し、通気性のよいアイロン台５を通して衣類に噴出して、衣類の上部からアイロン本体１を押し当てることによってアイロン掛けができるものである。つまり、アイロン本体１は水タンクを備えていないもので、従来のものに比べて一層構造が簡単で軽量として、取扱いの容易なものとできるものである。なお、アイロン本体１としては、図１に示す構成のアイロン本体に限られるものではなく、通常の蒸気発生手段を装備したアイロン本体と図２で示したアイロン台ユニットとの組み合わせで使用できることはあきらかである。この場合、アイロン本体には水を溜めることなく使用すれば軽量で取扱いは容易となる。
【００１４】
続いて、本発明のアイロン掛け装置の実施例を説明する。本実施例の全体構成は、前記参考実施例と同様である。アイロン台ユニットは図２に示しているように、アイロン台５の底面に伸縮ノズル１０を備えた蒸気導入管９を設けている。
【００１５】
図３・図４は伸縮ノズル１０の詳細な構成を示している。伸縮ノズル１０は、上部は上ノズル部１０ａ、下部は下ノズル部１０ｂとなっており、使用者のアイロン本体１の押圧操作によって上ノズル部１０ａが下ノズル部１０ｂ内に沈み込むようになっている。つまり、上ノズル部１０ａの上部に設けた係止部１０ｆと、下ノズル部１０ｂの下部に設けている係止部を兼ねた封止爪１０ｄ間に、バネ１０ｃを設けているものである。また上ノズル部１０ａの低部には貫通穴１０ｅを設けてあり、この貫通穴１０ｅは常態では封止爪１０ｄによって封止されている。使用者のアイロン本体１の押圧操作によって、バネ１０ｃが押し縮められて、上ノズル部１０ａが下ノズル部１０ｂ内に沈み込むと、前記封止爪１０ｄの封止が外れて貫通穴１０ｅは開いた状態となる。
【００１６】
以下本実施例の動作について説明する。通常状態では伸縮ノズル１０は、図４に示しているように伸びた状態となっている。このときは、貫通穴１０ｅは封止爪１０ｄによって閉塞されている。従ってこの状態では、蒸気導入管９から拡散する蒸気の流れはここで封止され、上ノズル部１０ａから外部に噴出しないものである。伸縮ノズル１０に上方から応力Ａが印加されると、図５に示しているように、伸縮ノズル１０は縮められるものである。つまり図６に示しているように、応力Ａは、具体的には使用者がアイロン本体１を押圧した状態であり、この状態ではバネ１０ｃが押し縮められて、上ノズル部１０ａは下ノズル部１０ｂの中をスライドして下降するものである。従って上ノズル部１０ａの下部に設けている貫通穴１０ｅは、封止爪１０ｄによる封止から開放されることになるものである。この状態では、蒸気導入管９から拡散して流れる蒸気は貫通穴１０ｅを通過して外部に噴出することになるものである。この蒸気は、アイロン台５を介してアイロン掛け衣類に噴霧される訳である。
【００１７】
つまり本実施例によれば、蒸気発生装置６で得た蒸気を一旦蒸気導入管９に蓄えて、アイロン台５の上部からアイロン本体１によって加圧したときに、伸縮ノズル１０が縮んで貫通穴１０ｅが開き、蒸気が噴出するように作用するものである。従って、実際にアイロン掛け操作をしている間だけ蒸気を供給することができる使い勝手の良いアイロン掛け装置を実現しているものである。
【００１８】
次に、本発明の他の手段によるアイロン掛け装置を説明する。本実施例では、アイロン台ユニットは図７に示した構成としているものである。蒸気導入管９に接続している多数の伸縮ノズル１０は、図１０に詳細を示しているように上部が傘型となっているフランジ１１としている。
【００１９】
以下その動作について説明する。アイロン掛けは図１１のように行われるものである。ここで、図８は伸縮ノズル１０の常態時を示しており、上ノズル部１０ａの貫通穴１０ｅは下ノズル部１０ｂの封止爪１０ｄによって封止されている。また図９はアイロン本体１の操作時を示している。このときは、上ノズル部１０ａは下ノズル部１０ｂ内に沈み込んで、貫通穴１０ｅは開いた状態となって蒸気がアイロン台５に噴出するものである。本実施例では上ノズル部１０ａの上部を傘型としたフランジ１１としているため、このアイロン掛け操作がつまり、アイロン本体１の押圧移動が非常に容易なものとなっている。すなわち、アイロン本体１をアイロン台５上で押圧しながらスライドさせたときに、水平方向の力がフランジ１１によって垂直方向の力に変換されるものである。このため、軽い操作で蒸気の噴出が容易に行えるものとなっている。
【００２０】
続いて、本発明の他の手段によるアイロン掛け装置の実施例を説明する。本実施例では、図１２〜図１４に示しているようにフランジ１１には蒸気をほぼ水平方向に噴出する横噴出穴１０ｇを設けているものである。
【００２１】
以上の構成で更に使い勝手の良いアイロン掛け装置として作用するものである。つまり、横噴出穴１０ｇを設けることによって発生した蒸気がアイロン本体１のベース４に妨害されることなく広がって、アイロン掛け衣類に均一に当たるものである。
【００２２】
【発明の効果】
本発明のアイロン掛け装置は、ベースと前記ベースを加熱する加熱手段を有するアイロン本体と、通気性を有するアイロン台と、アイロン掛けの蒸気を発生する蒸気発生装置と、前記蒸気発生装置に接続した蒸気導入管と、前記蒸気発生装置で発生した蒸気を前記蒸気導入管を介して前記アイロン台の表面に噴出する多数個のノズルとを備え、前記ノズルは、前記アイロン本体による押圧力に応じて伸縮する伸縮ノズルとし、通常はバネにより閉塞状態となるように付勢されるとともに、前記アイロン台の上部から前記アイロン本体によって加圧したときに下降して前記蒸気導入管に蓄えた蒸気が噴出する構成としたから、アイロン本体は水タンクを非装備として軽量化がはかれるとともに、アイロン掛け操作が行われている箇所だけ蒸気を噴出させて効果的なアイロン掛けを行うことができる。
【図面の簡単な説明】
【図１】  本発明の参考実施例によるアイロン本体を一部切り欠いて示した側面図
【図２】  （ａ）同参考実施例によるアイロン台の斜視図
（ｂ）同アイロン台の一部を断面にして示した側面図
【図３】  本発明の実施例によるアイロン台の側面図
【図４】  同アイロン台の伸縮ノズルの非使用状態を示す断面図
【図５】  同アイロン台の伸縮ノズルの使用状態を示す断面図
【図６】  同実施例の使用状態を示す側面図
【図７】  本発明の他の実施例によるアイロン台の一部を断面にして示した側面図
【図８】  同アイロン台の伸縮ノズルの非使用状態を示す断面図
【図９】  同アイロン台の伸縮ノズルの使用状態を示す断面図
【図１０】  同伸縮ノズルを構成する上ノズル部の斜視図
【図１１】  同実施例の使用状態を示す側面図
【図１２】  本発明の他の実施例を示す伸縮ノズルの非使用状態を示す断面図
【図１３】  同伸縮ノズルの使用状態を示す断面図
【図１４】  同上ノズル部の斜視図
【図１５】  従来のアイロン本体を一部断面にして示した側面図
【図１６】  同アイロン台を一部断面にして示した側面図
【符号の説明】
１  アイロン本体
２  加熱手段
４  ベース
５  アイロン台
６  蒸気発生装置
７  ノズル
９  蒸気導入管
１０  伸縮ノズル
１０ａ  上ノズル部
１０ｂ  下ノズル部
１０ｇ  横噴出穴
１１  フランジ
【図１】
0003769759.tif 000002
【図２】
0003769759.tif 000003
【図３】
0003769759.tif 000004
【図４】
0003769759.tif 000005
【図５】
0003769759.tif 000006
【図６】
0003769759.tif 000007
【図７】
0003769759.tif 000008
【図８】
0003769759.tif 000009
【図９】
0003769759.tif 000010
【図１０】
0003769759.tif 000011
【図１１】
0003769759.tif 000012
【図１２】
0003769759.tif 000013
【図１３】
0003769759.tif 000014
【図１４】
0003769759.tif 000015
【図１５】
0003769759.tif 000016
【図１６】
0003769759.tif 000017